(57)【要約】【課題】  オーブントースターの汚れが付着しやすい前扉が、本体との着脱を簡単に行なえる機構を備えていて、掃除しやすく、取り外しは、扉の前面、背面または外壁面での操作で容易にでき、脱落、破損がない。また、前扉の取り外し機構が簡単なため構成部品が少なくてすみ、安価に製造できる。【解決手段】  前面に開口部を有する箱状の本体１と、開口部を開閉する前扉２とを有し、前扉２が前扉の下部から両側に突出する支軸４が開口部の下部に設けられた軸受け孔５、６に軸支されて回動自在に固定されたオーブントースターにおいて、前扉２の支軸４が装着状態になるように弾性的に付勢されており、前扉２の前面には支軸４に結合したつまみ９を備え、これにより支軸４を付勢に抗して離脱可能状態に操作することによって、前扉２を着脱できるようにした。【選択図】      図１
2007010253.tif 000002
【特許請求の範囲】
【請求項１】
前面に開口部を有する箱状の本体と、前記開口部を開閉する前扉とを有し、前記前扉を該前扉の下部から両側に突出する支軸が前記開口部の下部に設けられた軸受け孔に軸支することにより回動自在に固定するとともに前記前扉の着脱手段を備えたオーブントースターにおいて、  前記前扉の支軸を装着状態になるように弾性的に付勢し、前記前扉の着脱手段は前記前扉に設けられているとともに前記支軸に結合した解除手段を備え、前記解除手段により前記支軸を前記付勢に抗して離脱可能状態に操作することによって、前記前扉を着脱できるようにしたことを特徴とするオーブントースター。
【請求項２】
前記解除手段が、コイルバネの弾性力に抗して水平方向に前記支軸を動かすつまみであることを特徴とする請求項１に記載のオーブントースター。
【請求項３】
前面に開口部を有する箱状の本体と、前記開口部を開閉する前扉とを有し、前記前扉を該前扉の下部から両側に突出する支軸が前記開口部の下部に設けられた軸受け孔に軸支することにより回動自在に固定するとともに前記前扉の着脱手段を備えたオーブントースターにおいて、前記前扉の支軸の一端を前記オーブントースターの前面操作壁に開口する切り溝に連続した軸受け孔に軸支し、前記前扉の着脱手段は前記前面操作壁内に設けた該切り溝を閉塞状態にするよう弾性的に付勢されている部材と前記部材に結合した前記前面操作壁に設けた解除手段を備え、前記解除手段により前記弾性的に付勢されている部材を付勢に抗して離脱可能状態に操作することによって、前記前扉を着脱できるようにしたことを特徴とするオーブントースター。
【請求項４】
前記解除手段が、コイルバネの弾性力に抗して水平方向に前記部材を動かすつまみであることを特徴とする請求項３に記載のオーブントースター。
【請求項５】
前面に開口部を有する箱状の本体と、前記開口部を開閉する前扉とを有し、前記前扉が前記本体の開口部下部から前扉側に突出する支軸が前記前扉下部に設けられた軸受け孔に軸支することにより固定するとともに前記前扉の着脱手段を備えたオーブントースターにおいて、
前記前扉の着脱手段は、前記前扉に設けた軸受け孔に連続しているとともに前記前扉の背面部に開口する切り溝を閉塞状態にするよう弾性的に付勢された可動部材と、前記可動部材に結合した支軸係止解除手段を備え、該解除手段により該可動部材を付勢に抗して離脱可能状態に操作することによって、前記前扉を着脱できるようにしたことを特徴とするオーブントースター。
【請求項６】
前記可動部材が前記支軸と直交するように付勢された棒状体であることを特徴とする請求項５に記載のオーブントースター。
【発明の詳細な説明】
【技術分野】
【０００１】
本発明は、オーブントースターに関するものであり、汚れが付着しやすい前扉の本体への着脱を簡単に行なえる機構を備え、かつ前扉の脱落、破損がないオーブントースターに関するものである。
【背景技術】
【０００２】
オーブントースターなどの加熱調理器は、使用に伴い調理室の内部に食品の滓が残ったり、焼き網等に食品の焦げた部分がこびりつき、あるいは熱せられた食品などから出た油などが扉に付着したりして汚れやすいものであった。このため、従来から、扉ごと取り外して丸洗いし、調理室内を清掃できるようにしようとするものが考えられていた（例えば下記特許文献１〜４）。
【０００３】
下記特許文献１には、図９（ａ）、図９（ｂ）に示すように、汚れが付着しやすいオーブントースター８１の扉８４を、オーブントースター本体８２へ簡単に着脱することができる機構を備えており、一応掃除しやすいオーブントースターが開示されている。このオーブントースターは、本体８２の前面壁８８部分に、本体８２の前面側から手操作で開閉し得る孔８９を有し、その孔８９の閉じた状態で取付け軸８５の第２端部８５ａを保持する扉着脱機構８６を有している。扉着脱機構８６は、長方形の平板をＬ字型に折り曲げた取付け軸ストッパ８７を有し、この取付け軸ストッパ８７をつまみ移動孔８３に沿って上下に移動操作してストッパの孔８９を開閉することにより、本体８１の前面側から扉８４を着脱できる物である。この下記特許文献１に開示されているオーブントースターは、本体８１の分解をしないで、扉８４を本体の前面側から簡単に着脱することができ、これにより製造性が向上するとともに、扉８４を簡単に取り外して丸洗いができるため清掃性が向上するというものである。
【０００４】
また、下記特許文献２には、オーブントースター本体内が汚れた際に内部の隅々まで清掃できるようにするため、本体から扉を取り外すことができるようにしたオーブントースターが開示されている。すなわち、下記特許文献２に開示されているオーブントースターは、図示しないオーブントースター本体の開口部の両側下端部に支持軸を挿入する軸受を設けるとともに、図１０（ａ）に示すように、扉９４の両側下端部にその軸受けに軸支される支持軸９７を設け、支持軸９７を連結部材９２を介して本体の軸受けから出没自在になるよう、両側の支持軸９７を同時に出没させる手動手段９５を扉裏面に設けたものである。このオーブントースターは、扉９４の裏面内に設けた回動部材９６の操作により、図１０（ｂ）に示すように、扉９４と本体とを結合する支持軸９７の結合が左右同時に外れるようにして、真直ぐ扉９４の取り外し及び取り付けをできるようになる。
【０００５】
また、下記特許文献３は、オーブン室内を清掃する際に扉１０２が邪魔にならないように、扉１０２を本体に着脱自在に取付けたオーブンが開示されている。すなわち、下記特許文献３に開示されているオーブンは、扉１０２の分解斜視図である図１１に示すように、オーブン室の入口に配置する扉本体１０２は、枠１０２ａ、１０２ｂと、ガラス１０３と、扉本体１０２をオーブン室入口の左右側壁下部に回動自在、着脱自在に軸支させる支持シャフト１０４とを有し、扉枠に設けた開口部１０６から扉本体１０２外に突出する湾曲部１０５により支持シャフト１０４を扉本体１０２の裏面外から左右に動かすことにより、扉１０２の取り外しができるものである。なお、符号１０７は支持シャフト１０４を付勢して定位置に維持する着脱バネである。このオーブンは、開閉扉の内側とオーブン室内部の汚れ、堆積する調理屑の除去ができ、また、扉の丸洗いも可能となる。
【０００６】
また、下記特許文献４には、以上に述べたのと同様に、扉の清掃をし易くし、扉の長寿命化を図ったオーブントースターが開示されている。すなわち、下記特許文献４に開示されているオーブントースターは、図１２に示すように、扉１１０の内側下方に着脱レバー１１１を設け、着脱レバー１１１を扉シャフト１１２の端部近傍のＬ曲げ部に固定し、扉シャフト１１２の端部をオーブントースター本体１１３のシャフト孔１１４に嵌合している。このオーブントースターにおいては、扉１１０を開けて扉の内側にある着脱レバー１１１を左側に動かすことにより扉シャフト１１２の右側の端部１１２ａは本体１１３のシャフト孔１１４から外れるため、一番汚れの目立つドアを簡単にはずして丸洗いできるようになる。
【特許文献１】特開２０００−７９０６６号公報（図５〜図６、段落［００１３］〜［００１５］）
【特許文献２】特開２００３−２２２３４２号公報（図４、段落［００３１］）
【特許文献３】特開平５−２１１９４８号公報（図３、段落［０００７］）
【特許文献４】特開２０００−１４５６７号公報（図２、段落［０００７］）
【発明の開示】
【発明が解決しようとする課題】
【０００７】
しかしながら、これらの従来例においては、次のような問題があった。すなわち、上記特許文献１に開示されているオーブントースターは、本体８２の前面壁８８部分に、前面側から手操作で取付け軸ストッパ８７をつまみ移動孔８３に沿って上下に移動操作し、ストッパの孔８９を開閉して本体８２の前面側から扉８４を着脱するが、つまみが本体８２に取り付けられているとともに上下の移動操作であるため、操作時に他の操作つまみに近接して操作がし難いという問題があった。
【０００８】
また、上記特許文献２に開示されているオーブントースターは、扉裏面に設けた手動手段９５を操作することにより、両側の支持軸９７を同時に出没させることができるため、手動手段９５を操作するだけで前扉が外れるのが、扉を意識して支えないで不用意に操作すると、扉が落下して破損するおそれがある。たとえば、このオーブントースターがショウルームなどで展示されているような場合、お客様は、このオーブントースターの構造を知らないわけであるから、お客様が操作すると前扉が脱落してしまう虞があった。
【０００９】
また、上記特許文献３に開示されているオーブントースターは、扉本体１０２外に突出する湾曲部１０５により左右に動かすことにより扉の取り外しができるが、湾曲部１０５が扉の内面にあるため、汚れやすく操作がし難いという問題があった。
【００１０】
さらに、上記特許文献４に開示されているオーブントースターは、扉１１０の内側下方に設けた着脱レバー１１１は扉シャフト１１２の端部近傍のＬ曲げ部に固定されているので、着脱レバー１１１を左側に動かすことによりシャフト孔１１４から前面扉を外すことができるが、前面扉を開いた状態で操作する必要があり、しかも、上記特許文献３に開示されているオーブントースターの場合と同様に、着脱レバー１１１は汚れやすく操作がし難いという問題があった。
【００１１】
本願の発明者は、前記の問題点を解消すべく種々検討を行った結果、オーブントースターの前扉と本体との連結部の構造に着目して、前扉を取り外すときの前扉の支軸係止解除手段を簡単に操作できるようにすること及びその解除手段を極めて簡単な機構とすることによって、これらの問題を解決できることを見出し、本発明を完成するに至ったものである。
【００１２】
すなわち、本発明の目的は、汚れが付着しやすい前扉の本体への着脱を簡単に行なえる機構を備え、かつ前扉の脱落、破損がなく、しかも構成部品が少なくてすみ、安価に製造できる掃除しやすいオーブントースターを提供することにある。
【課題を解決するための手段】
【００１３】
本発明の上記目的は以下の構成により達成し得る。すなわち、請求項１に係るオーブントースターの発明は、前面に開口部を有する箱状の本体と、前記開口部を開閉する前扉とを有し、前記前扉を該前扉の下部から両側に突出する支軸が前記開口部の下部に設けられた軸受け孔に軸支することにより回動自在に固定するとともに前記前扉の着脱手段を備えたオーブントースターにおいて、前記前扉の支軸を装着状態になるように弾性的に付勢し、前記前扉の着脱手段は前記前扉に設けられているとともに前記支軸に結合した解除手段を備え、前記解除手段により前記支軸を前記付勢に抗して離脱可能状態に操作することによって、前記前扉を着脱できるようにしたことを特徴とする。
【００１４】
また、本願の請求項２に係る発明は、請求項１に記載のオーブントースターにおいて、前記解除手段が、コイルバネの弾性力に抗して水平方向に前記支軸を動かすつまみであることを特徴とする。
【００１５】
また、本発明の上記目的は以下の構成によっても達成し得る。すなわち、請求項３に係るオーブントースターの発明は、前面に開口部を有する箱状の本体と、前記開口部を開閉する前扉とを有し、前記前扉を該前扉の下部から両側に突出する支軸が前記開口部の下部に設けられた軸受け孔に軸支することにより回動自在に固定するとともに前記前扉の着脱手段を備えたオーブントースターにおいて、前記前扉の支軸の一端を前記オーブントースターの前面操作壁に開口する切り溝に連続した軸受け孔に軸支し、前記前扉の着脱手段は前記前面操作壁内に設けた該切り溝を閉塞状態にするよう弾性的に付勢されている部材と前記部材に結合した前記前面操作壁に設けた解除手段を備え、前記解除手段により前記弾性的に付勢されている部材を付勢に抗して離脱可能状態に操作することによって、前記前扉を着脱できるようにしたことを特徴とする。
【００１６】
また、本願の請求項４に係る発明は、請求項３に記載のオーブントースターにおいて、前記解除手段が、コイルバネの弾性力に抗して水平方向に前記部材を動かすつまみであることを特徴とする。
【００１７】
また、本発明の上記目的は以下の構成によっても達成し得る。すなわち、請求項５に係るオーブントースターの発明は、前面に開口部を有する箱状の本体と、前記開口部を開閉する前扉とを有し、前記前扉が前記本体の開口部下部から前扉側に突出する支軸が前記前扉下部に設けられた軸受け孔に軸支することにより固定するとともに前記前扉の着脱手段を備えたオーブントースターにおいて、前記前扉の着脱手段は、前記前扉に設けた軸受け孔に連続しているとともに前記前扉の背面部に開口する切り溝を閉塞状態にするよう弾性的に付勢された可動部材と、前記可動部材に結合した支軸係止解除手段を備え、該解除手段により該可動部材を付勢に抗して離脱可能状態に操作することによって、前記前扉を着脱できるようにしたことを特徴とする。
【００１８】
また、本願の請求項６に係る発明は、請求項５に記載のオーブントースターにおいて、前記可動部材が前記支軸と直交するように付勢された棒状体であることを特徴とする。
【発明の効果】
【００１９】
本発明は上記構成を備えることにより、以下に示すような優れた効果を奏する。すなわち、請求項１に係る発明によれば、前面から前扉の着脱が容易に行えるようになる。また、着脱機構が前扉だけに構成され、機構が簡単なため構成部品が少なくてすみ、オーブントースターを安価に製造できる。加えて、解除手段が付勢手段の弾性力に抗して前扉の支軸を動かすものであるので、容易にかつ確実に支軸を係止あるいは解除することができ、片手で操作しながら片手で前扉を脱落しないように保持することができる。
【００２０】
また、請求項２に係る発明によれば、解除手段が、コイルバネの弾性力に抗して水平方向に支軸を動かすつまみであることにより、操作も容易である。このつまみは、前扉の前面に取り付けられているため、意匠的にもデザインが眼を引き、人を惹きつける要素となるので、店頭で目立ちやすい利点がある。
【００２１】
また、請求項３に係る発明によれば、前扉の下部から両側に突出する前扉の支軸の解除手段側はオーブントースターの前面操作壁に開口する切り溝に連続した軸受け孔に軸支されるようにしたので、解除手段を意識しないで不用意に操作しても、支軸は軸受け孔に保持されており、しかも前扉は本体開口部に閉じた位置にあるので、前扉が落下してけがをしたり、前扉が破損するおそれがなく安全である。
【００２２】
また、本願の請求項４に係る発明によれば、一方の手でつまみを操作し、他方の手で前扉を保持して外すことができる。この態様の場合には、つまみを操作するだけでは、前扉が外れることがないので、オーブントースターがショウルームなどで展示されていて構造を知らないお客様が不用意に操作した場合も、前扉が脱落することがなく安全である。
【００２３】
また、本願の請求項５に係る発明によれば、操作部が前扉の内面右側にあるので、開いた扉は両手で支えながら右手の指一つで着脱動作ができる。また右側にある支軸挿入部が眼で確認できるために前扉の装着時に支軸を挿入しやすい。そして、解除手段がコイルバネの弾性力に抗して上下に部材を動かすものであるので、平常時は自動的に係止状態を保持することができ安全である。
【００２４】
また、本願の請求項６に係る発明によれば、可動部材が支軸と直交するように付勢された棒状体であるので、前扉の装着時に支軸との係合状態を確認しやすい。また、オーブントースターの前面デザインをすっきりさせることができる。
【発明を実施するための最良の形態】
【００２５】
以下、本発明に係るオーブントースターについて、具体的実施例を添付の図面を参照して詳細に説明する。ただし、以下に示す実施例は、本発明の技術思想を具体化するためのオーブントースターを例示するものであって、本発明をこのオーブントースターに特定することを意図するものではなく、特許請求の範囲に含まれるその他のものにも等しく適用し得るものである。
【実施例１】
【００２６】
図１は本発明の第１の実施態様に係る前扉着脱機構の説明のためのオーブントースターの要部の斜視図である。図２は同じくオーブントースター前扉の動作状態の斜視図である。また、図３はオーブントースター本体と前扉と支軸の装着状態を示す組み立て断面図である。図４はオーブントースター本体と前扉と支軸の分離状態を示す組み立て断面図である。
【００２７】
本発明の第１の実施態様に係るオーブントースターは、前面に開口部を有する箱状のオーブントースター本体と、その開口部を開閉する前扉とを有し、前扉がその下部から両側に突出する支軸によって、開口部の下部に設けた軸受け孔に回動自在に軸支されているのは従来例と同様である。図１には、前扉２とオーブントースター本体１の一部である前面操作壁３が図示され、その他の部分は省略してある。前扉２の下部から両側に突出する支軸４は、その一端４ａがオーブントースター本体１の開口部側壁に開口する軸受け孔５に、他端４ｂが前面操作壁３の下部側面に開口する軸受け孔６にそれぞれ軸支される。前扉２の前面には開口部８が設けられ、開口部８には支軸４に結合したつまみ９が設けられている。
【００２８】
通常時、すなわち使用時には前扉２の支軸４は、図３に示すように、支軸４の一端において支軸を取り巻いたコイルバネ７によって水平方向に弾性的に付勢され、前扉２がオーブントースター本体１に装着状態になるよう、一端部４ａが軸受け孔５に係止されているとともに他端４ｂを軸受け孔６に係止している。前扉２の取り外しを行なう場合には、支軸４の係止解除のため、支軸４に結合したつまみ９をコイルバネ７の付勢に抗して移動させ、すなわち図２に示すように、手でつまみ９を左側に寄せることで支軸４を左側に移動させて、支軸４の一端４ｂを軸受け孔６から離脱可能な状態に操作することにより、図４に示したように、支軸４の他端４ｂが軸受け孔６から外れる。次いで前扉２を手前側に引き、他端の係止部４ａを反対側の軸受け孔５から引き抜けば前扉２を離脱できる。このように、コイルバネ７の弾性力に抗して水平方向に支軸４を動かすつまみ９を操作することにより、前扉２を本体１から取り外すことができる。
【００２９】
なお図示はしないが、オーブントースター本体１の中には、ヒーターの他に前扉２が開かれたときに前面に繰り出されてくるように前扉２に着脱自在な連結手段（図示省略）を介して連結された網棚が設けられている。したがって、前扉２の離脱に先立って前扉２から網棚を外すことは言うまでもない。
【００３０】
前扉２の装着時には、支軸４の一端４ｂをオーブントースター本体１の一方の軸受け孔５に挿入して係止しておき、解除手段を左に寄せて支軸４を移動させた状態で、オーブントースター本体１の開口部に前扉２をはめ込みつまみ９を元に戻せば、支軸４の他端４ｂが軸受け孔６に係止される。そして、網棚を前扉２の棚の連結手段に連結すればよい。なお、以下の実施例においては、網棚についての説明は省略する。
【００３１】
この実施態様によれば、本体１の前面操作壁３から前扉２の着脱が容易に行える。解除手段が、コイルバネの弾性力に抗して水平方向に前扉の支軸を動かすものであるので、解除手段を片手で操作しながら片手で前扉を脱落しないように保持することができ、容易にかつ確実に支軸を係止あるいは解除することができる。また、つまみを操作しただけでは前扉は脱落しないので安全である。また、着脱機構が前扉だけで構成されているため機構が簡単であり、構成部品が少なくてすみ、安価に製造できる。なお、つまみは、前扉の前面に取り付けられているため、意匠的にもデザインが眼を引き、人を惹きつける要素とすることができるので、店頭で目立ちやすくできる利点がある。
【実施例２】
【００３２】
図５は本発明の第２の実施態様に係る前扉着脱機構の説明のためのオーブントースターの要部の斜視図であり、装着状態を示している。図６は同オーブントースター前扉の分離状態の斜視図である。
【００３３】
本発明の第２の実施態様に係るオーブントースターは、図５に示したように、前面に開口部を有する箱状のオーブントースター本体１１と、この本体の前面に設けられた開口部を開閉する前扉１２とを有し、前扉１２がその下部から両側に突出する支軸１４によって、開口部の下部に設けた軸受け孔１５、１６ｂに回動自在に軸支される。前扉１２の支軸１４の一端１４ａは軸受け孔１５に挿入されて軸支され、他端１４ｂは、オーブントースター本体１１の前面操作壁１３に開口する切り溝１６ａに連続した軸受け孔１６ｂに軸支されている。前面操作壁１３内には支軸１４の他端１４ｂの軸支を解除するための開閉部材２０を備え、この開閉部材２０は切り溝１６ａを閉塞状態にするようにコイルバネ１７により弾性的に付勢されている。開閉部材２０は、ブロック状あるいはＬ字状のものであり、水平方向に移動可能でオーブントースター本体１１の前面から側面にかけて設けた切り溝１６ａを開閉するように取り付けられる。また、前面操作壁１３には開閉部材２０に結合したつまみ１９が設けられている。
【００３４】
つまみ１９は、前面操作壁１３に水平方向に所定長さ延設された開口部１８を介して、前面操作壁１３内に設けた切り溝１６ａを閉塞状態にする開閉部材２０と連結され、コイルバネ１７の弾性力に抗して水平方向に開閉部材２０を移動させるものである。つまみ１９により開閉部材２０を付勢に抗して離脱可能状態に操作することによって、支軸１４の他端１４ｂを取り外すことができ、以って前扉１２を着脱できるようになる。
【００３５】
平常時、すなわち使用時には、箱状の本体１１と前扉１２とは、前扉１２の下部から両側に突出する支軸１４の一端１４ａが開口部の一側面下部に設けられた軸受け孔１５に挿入され軸支されるとともに、オーブントースター本体１１の前面操作壁１３に設けられた切り溝１６ａに連通した軸受け孔１６ｂに軸支されており、前面操作壁１３内に設けた切り溝１６ａは開閉部材２０によって塞がれているのでつまみ１９を作動させただけでは前扉１２が脱落することはない。前扉１２の取り外しを行なう場合には、その開閉部材２０に結合して前面操作壁１３に設けたつまみ１９を作動させることにより、開閉部材２０を付勢に抗して離脱可能状態に操作して切り溝１６ａを開け、支軸１４の他端１４ｂを軸受け孔１６ａから外し、次いで支軸１４の一端１４ａを軸受け穴１５から引き抜くことによって前扉１２を取り外しできる。
【００３６】
この態様の場合には、前面にあるつまみを操作するだけでは前扉が外れることがないので、意識しないで不用意に解除手段を操作しても、支軸は軸受け孔に保持されており、前扉は依然として本体開口部を閉ざした位置にあり、前扉が落下して破損するおそれがなく安全である。つまり、例えばオーブントースターがショウルームなどで展示されていて構造を知らないお客が不用意に操作した場合も、前扉が脱落する心配がなく安全である。
【実施例３】
【００３７】
次に、図７は本発明の第３の実施態様に係る前扉着脱機構の説明のためのオーブントースター要部斜視図である。図８は図７のオーブントースターの分離状態の説明のための要部斜視図である。なお、本実施例においては、オーブントースター本体及び前扉の構成は同様であり、前扉の固定部のみその構成が異なるので、オーブントースター本体等の説明は省略し、前扉の固定部についてのみ説明を行うものとする。
【００３８】
第３の実施態様に係るオーブントースターは、図７に示したように、前面に開口部を有する箱状の本体２１と、開口部を開閉する前扉２２とを有し、前扉２２が本体２１の開口部の両側部の下部から前扉２２側に突出する一対の支軸２４によって、同じく前扉２２下部に設けた軸受け孔２６に回動自在に軸支される。そして、前扉２２に設けた一方の軸受け孔２６は、挿入部から前扉２２の背面部に開口する切り溝２６’に連通している。
【００３９】
前扉２２の背面には、切り溝２６’に直交し、切り溝２６’の少なくとも一部を閉塞状態にして支軸２４と係合するように弾性的に付勢された可動部材２５と、可動部材２５を付勢するコイルバネ２７が結合された支軸係止解除手段を備えている。この解除手段により、図８に示すように、可動部材２５をコイルバネ２７の付勢に抗して離脱可能状態に操作し、軸受け孔２６から支軸２４を取り外すことによって前扉２２を着脱できる。図８の場合は、可動部材２５は支軸２４と直交するように付勢された棒状体であり、その一部分に屈曲部２５ａを設け、この部分が前扉２２背面の開口部２８から露出されており、屈曲部２５ａにより操作される。なお、符号２９は前扉２２のガラス部分である。
【００４０】
この態様では、屈曲部２５ａが前扉の内面右側にあるので、開いた扉は両手で支えながら右手の指一つで着脱動作ができる。また、右側にある切り溝２６’が眼で確認できるために前扉２２の装着時に支軸２４を挿入しやすい。さらに、解除手段がコイルバネ２７の弾性力に抗して上下に可動部材２５を動かすものであるので、平常時は自動的に係止状態を保持することができ安全である。また、可動部材２５が支軸２４と直交するように付勢された棒状体であるので、前扉２２の装着時に支軸２４との係合状態を確認しやすい。また、オーブントースターの前面デザインをすっきりさせることができる。
【００４１】
以上、図面を参照して本発明の実施例を説明した。以上に示した実施例のようなオーブントースターは、汚れが付着しやすい前扉の着脱を簡単に行なえる機構を備えていて、掃除しやすいオーブントースターを提供することができる。取り外しは、扉の前面、背面または本体前面での操作で容易にでき、脱落破損がない。そして、前扉取り外し機構が簡単なため構成部品が少なくてすみ、安価に製造できる。
【図面の簡単な説明】
【００４２】
【図１】図１は本発明の第１の実施態様に係る前扉着脱機構の説明のためのオーブントースターの要部の斜視図である。
【図２】図２は同じくオーブントースター前扉の動作状態の斜視図である。
【図３】図３はオーブントースター本体と前扉と支軸の装着状態を示す組み立て断面図である。
【図４】図４はオーブントースター本体と前扉と支軸の分離状態を示す組み立て断面図である。
【図５】図５は本発明の第２の実施態様に係るオーブントースターの前扉着脱機構の説明のための要部の斜視図である。
【図６】図６は図５のオーブントースター前扉の分離状態の斜視図である。
【図７】図７は本発明の第３の実施態様に係る前扉着脱機構の説明のためのオーブントースターの要部斜視図である。
【図８】図８は図７のオーブントースターの分離状態の説明のための要部斜視図である。
【図９】図９は従来例を示すオーブントースターを示し、図９（ａ）は斜視図、図９（ｂ）は要部斜視図である。
【図１０】図１０は他の従来例を示し、図１０（ａ）は要部斜視図、図１０（ｂ）は動作説明図である。
【図１１】図１１はさらに他の従来例の分解斜視図である。
【図１２】図１２はさらにまた別の従来例の斜視図である。
【符号の説明】
【００４３】
１            オーブントースター本体
２            前扉
３            前面操作壁
４            支軸
５、６        軸受け孔
７            コイルバネ
９            つまみ
１１          オーブントースター本体
１２          前扉
１３          前面操作壁
１４          支軸
１５、１６ｂ  軸受け孔
１６ａ        切り溝
１７          コイルバネ
１９          つまみ
２０          開閉部材
２１          本体
２２          前扉
２４          支軸
２５          可動部材
２５ａ        屈曲部
２６          軸受け孔
２６’        切り溝
２７          コイルバネ
【図１】
2007010253.tif 000003
【図２】
2007010253.tif 000004
【図３】
2007010253.tif 000005
【図４】
2007010253.tif 000006
【図５】
2007010253.tif 000007
【図６】
2007010253.tif 000008
【図７】
2007010253.tif 000009
【図８】
2007010253.tif 000010
【図９】
2007010253.tif 000011
【図１０】
2007010253.tif 000012
【図１１】
2007010253.tif 000013
【図１２】
2007010253.tif 000014